(57)【特許請求の範囲】
【請求項１】
入力端子に印加された入力電圧を昇圧し、前記昇圧した電圧を負荷に供給する昇圧回路と、
前記入力電圧、前記負荷に供給する電圧の目標値、および前記負荷に流れる電流に基づいて昇圧率を設定する昇圧率設定部と、
前記入力端子から前記負荷までの経路における所定の区間の、前記負荷に流れる電流量に基づく電圧降下値を前記昇圧率設定部へ出力するレジスタ回路とを備え、
前記昇圧回路は、前記設定に基づいて昇圧率を切り替え、
前記昇圧率設定部は、前記入力電圧、前記負荷に供給する電圧の目標値、および前記電圧降下値に基づいて前記昇圧率を設定する電源装置。
【請求項２】
前記レジスタ回路は、前記電流量に基づく前記昇圧回路における電圧降下値を前記昇圧率設定部へ通知する請求項１記載の電源装置。
【請求項３】
前記負荷はＬＣＤ表示装置のバックライトとして用いる発光素子である請求項１記載の電源装置。
【請求項４】
電源装置を有する携帯情報端末であって、
前記電源装置は、
入力端子に印加された入力電圧を昇圧し、前記昇圧した電圧を負荷に供給する昇圧回路と、
前記入力電圧、前記負荷に供給する電圧の目標値、および前記負荷に流れる電流に基づいて昇圧率を設定する昇圧率設定部と、
前記入力端子から前記負荷までの経路における所定の区間の、前記負荷に流れる電流量に基づく電圧降下値を前記昇圧率設定部へ出力するレジスタ回路とを備え、
前記昇圧回路は、前記設定に基づいて昇圧率を切り替え、
前記昇圧率設定部は、前記入力電圧、前記負荷に供給する電圧の目標値、および前記電圧降下値に基づいて前記昇圧率を設定する携帯情報端末。
【請求項５】
入力端子に印加された入力電圧を調整する電圧調整部と、
前記調整された電圧を昇圧し、前記昇圧した電圧を負荷に供給する昇圧回路と、
前記昇圧回路の昇圧率を設定する昇圧率設定部と、
前記負荷に流れる電流に対応するマージン電圧を記憶する変換テーブルとを備え、
前記昇圧回路は、前記調整された電圧および前記昇圧率設定部の設定に応じた出力を行ない、
前記昇圧率設定部は、前記電圧調整部で調整された電圧を前記昇圧率倍した電圧値から前記マージン電圧を減算した値が前記負荷に供給する電圧の目標値未満とならないように前記昇圧率を設定し、
前記電圧調整部は、前記昇圧回路の出力電圧が、前記負荷に供給する電圧の目標値になるように前記入力電圧を調整する電源装置。
【請求項６】
前記電源装置は、さらに、
前記負荷に供給する電圧の目標値を設定する出力電圧設定部を備え、
前記昇圧率設定部は、前記出力電圧設定部の設定に基づいて前記昇圧率を設定する請求項５記載の電源装置。
【発明の詳細な説明】
【技術分野】
【０００１】
本発明は、電源装置およびそれを備えた携帯情報端末に関し、特に、入力電圧を昇圧し、昇圧した電圧を負荷に供給する電源装置およびそれを備えた携帯情報端末に関する。
【背景技術】
【０００２】
携帯電話機およびＰＤＡ（Personal Data Assistant）等の携帯情報端末では、ＬＣＤ（Liquid Crystal Display）表示装置のバックライトとして用いられるＬＥＤ（Light-Emitting Diode）を、携帯情報端末の電池電圧よりも高い電圧で駆動する必要がある。このため、一般的な携帯情報端末では、チャージポンプ回路等を用いて電池電圧を昇圧し、ＬＥＤ等の負荷に供給する電源装置を備えている。
【０００３】
たとえば、特許文献１には以下のような電源装置が開示されている。すなわち、外部選択端子からの入力によって選択スイッチを作動させ、電源電圧に対する高圧電圧の昇圧倍率に応じた昇圧用コンデンサを選択する。このような構成により、電源電圧に対する高圧電圧の昇圧倍率を任意に切り替えることができる。
【特許文献１】特開平６−７８５２７号公報
【発明の開示】
【発明が解決しようとする課題】
【０００４】
ところで、特許文献１記載の電源装置では、たとえば電池電圧が３．５Ｖであり、ＬＥＤ等の負荷に供給すべき電圧（以下、目標電圧という。）が７．０Ｖの場合には、チャージポンプ回路の昇圧率は２倍に設定される。しかしながら、電源装置の内部回路等の抵抗成分によって電圧降下が生じ、負荷に供給される電圧が目標電圧より低くなってしまう場合がある。また、あらかじめチャージポンプ回路の昇圧率を高く設定しておくと、チャージポンプ回路の消費電力は昇圧率が高いほど大きく、また、電圧降下値は負荷の消費電流によって変化するものであるため、昇圧率が必要以上に高く設定されている場合には、電源装置の電力使用効率が低下してしまう。
【０００５】
言い換えれば、特許文献１記載の電源装置では、入力電圧の変動および出力電流の大小等に応じて昇圧率を適切に設定することができなかった。
【０００６】
それゆえに、本発明の目的は、昇圧率を適切に設定することが可能な電源装置およびそれを備えた携帯情報端末を提供することである。
【課題を解決するための手段】
【０００７】
上記課題を解決するために、本発明のある局面に係わる電源装置は、入力端子に印加された入力電圧を昇圧し、昇圧した電圧を負荷に供給する昇圧回路と、入力電圧、負荷に供給する電圧の目標値、および負荷に流れる電流に基づいて昇圧率を設定する昇圧率設定部とを備え、昇圧回路は、設定に基づいて昇圧率を切り替える。
【０００８】
好ましくは、電源装置は、さらに、入力端子から負荷までの経路における所定の区間の、負荷に流れる電流量に基づく電圧降下値を昇圧率設定部へ出力するレジスタ回路を備え、昇圧率設定部は、入力電圧、負荷に供給する電圧の目標値、および電圧降下値に基づいて昇圧率を設定する。
【０００９】
より好ましくは、レジスタ回路は、電流量に基づく昇圧回路における電圧降下値を昇圧率設定部へ通知する。
【００１０】
好ましくは、負荷はＬＣＤ表示装置のバックライトとして用いる発光素子である。
また本発明のある局面に係わる携帯情報端末は、電源装置を有する携帯情報端末であって、電源装置は、入力電圧を昇圧し、昇圧した電圧を負荷に供給する昇圧回路と、入力電圧、負荷に供給する電圧の目標値、および負荷に流れる電流に基づいて昇圧率を設定する昇圧率設定部とを備え、昇圧回路は、設定に基づいて昇圧率を切り替える。
【００１１】
また本発明のさらに別の局面に係わる電源装置は、入力端子に印加された入力電圧を調整する電圧調整部と、調整された電圧を昇圧し、昇圧した電圧を負荷に供給する昇圧回路と、昇圧回路の昇圧率を設定する昇圧率設定部とを備え、昇圧回路は、調整された電圧および昇圧率設定部の設定に応じた出力を行なう。
【００１２】
好ましくは、電源装置は、さらに、負荷に供給する電圧の目標値を設定する出力電圧設定部を備え、昇圧率設定部は、出力電圧設定部の設定に基づいて昇圧率を設定する。
【００１３】
好ましくは、電源装置は、さらに、負荷に流れる電流に対応するマージン電圧を記憶する変換テーブルを備え、昇圧率設定部は、電圧調整部で調整された電圧を昇圧率倍した電圧値からマージン電圧を減算した値が負荷に供給する電圧の目標値未満とならないように昇圧率を設定し、電圧調整部は、昇圧回路の出力電圧が、負荷に供給する電圧の目標値になるように入力電圧を調整する。
【発明の効果】
【００１４】
本発明によれば、昇圧率を適切に設定することにより、電力使用効率を向上させ、ひいてはこの電源装置を用いた携帯情報端末の使用可能時間を延ばすことができる。
【発明を実施するための最良の形態】
【００１５】
以下、本発明の実施の形態について図面を用いて説明する。なお、図中同一または相当部分には同一符号を付してその説明は繰り返さない。
【００１６】
［構成および基本動作］
図１は、本発明の実施の形態に係る電源装置１００の構成を示す図である。同図を参照して、電源装置１００の入力端子ｔ１には、電池５００からの電池電圧Ｖｂａｔが入力電圧として印加される。電源装置１００の出力端子ｔ２にはたとえばＬＥＤである負荷９が接続される。電源装置１００は、入力端子ｔ１に印加される電池電圧Ｖｂａｔを昇圧し、昇圧した電圧を出力電圧Ｖｏｕｔとして出力端子ｔ２から出力して負荷９に供給する。
【００１７】
電源装置１００は、チャージポンプ回路１と、昇圧率設定部２と、レジスタ回路４と、出力電圧設定部５と、Ｄ／Ａ（Digital/Analog）コンバータ６と、Ａ／Ｄ（Analog/Digital）コンバータ８と、抵抗Ｒ３〜Ｒ４と、定電流回路８と、変換テーブル１０と、電圧調整部２２とを備える。
【００１８】
電圧調整部２２は、演算増幅器７と、抵抗Ｒ１〜Ｒ２と、Ｐ型のＭＯＳ（Metal Oxide Semiconductor）トランジスタＭ１とを含む。以下、抵抗Ｒ１〜Ｒ４の抵抗値をｒ１〜ｒ４として説明する。
【００１９】
出力電圧設定部５は、ＲＯＭ（Read Only Memory）に記憶されたデータおよび外部から入力されたデータに基づいて、負荷９に供給すべき電圧（目標電圧）を表わすデジタル値Ｄｓｅｔを生成し、Ｄ／Ａコンバータ６および昇圧率設定部２へ出力する。
【００２０】
Ｄ／Ａコンバータ６は、出力電圧設定部５から受けたデジタル値Ｄｓｅｔをデジタルアナログ変換し、アナログ電圧Ｖｓｅｔとして電圧調整部２２における演算増幅器７へ出力する。
【００２１】
電圧調整部２２は、レギュレータ回路であり、Ｄ／Ａコンバータ６から受けたアナログ電圧Ｖｓｅｔが表わす目標電圧、および出力電圧Ｖｏｕｔの分圧値に基づいて、電池電圧Ｖｂａｔを降圧して調整し、電圧Ｖｘとしてチャージポンプ回路１へ出力する。
【００２２】
より詳細には、演算増幅器７は、非反転入力端子および反転入力端子に印加される２つの電圧が等しくなるようにＭＯＳトランジスタＭ１のゲート端子に電圧を印加し、ＭＯＳトランジスタＭ１のオン抵抗を調整する。ここで、演算増幅器７の非反転入力端子には、Ｄ／Ａコンバータ６から受けたアナログ電圧Ｖｓｅｔが印加され、また、反転入力端子には、出力電圧Ｖｏｕｔが抵抗Ｒ１および抵抗Ｒ２によって分圧された電圧Ｖｙが印加される。電圧Ｖｙ＝Ｖｏｕｔ×ｒ１／（ｒ１＋ｒ２）である。演算増幅器７、ＭＯＳトランジスタＭ１およびチャージポンプ回路１で帰還回路が構成され、Ｖｓｅｔ＝Ｖｙとなるように帰還がかかり、ＭＯＳトランジスタＭ１のオン抵抗が調整されることにより、Ｖｏｕｔ＝Ｖｓｅｔ×（ｒ１＋ｒ２）／ｒ１を満たすように出力電圧Ｖｏｕｔが収束する。このとき、チャージポンプ回路１の入力端子に印加される電圧Ｖｘは、Ｖｘ＝Ｖｏｕｔ／ＸＣＰ＝Ｖｓｅｔ×（ｒ１＋ｒ２）／ｒ１／ＸＣＰに収束する。
【００２３】
チャージポンプ回路１は、電圧調整部２２から受けた電圧Ｖｘを、昇圧率設定部２が設定した昇圧率ＸＣＰで昇圧し、昇圧した電圧を出力端子ｔ２へ出力する。チャージポンプ回路１は、たとえば１倍、１．５倍、２倍および２．５倍の昇圧率を切り替えることができる。出力端子ｔ２へ出力された電圧は、出力電圧Ｖｏｕｔとして負荷９に供給される。出力電圧Ｖｏｕｔ＝Ｖｘ×ＸＣＰとなる。
【００２４】
抵抗Ｒ３および抵抗Ｒ４は、入力端子ｔ１に印加される電池電圧Ｖｂａｔを分圧してＡ／Ｄコンバータ８へ検出電圧Ｖｄｅｔとして出力する。Ｖｄｅｔ＝Ｖｂａｔ×ｒ３／（ｒ３＋ｒ４）となる。
【００２５】
Ａ／Ｄコンバータ８は、検出電圧Ｖｄｅｔをアナログデジタル変換し、デジタル値Ｄｄｅｔとして昇圧率設定部２へ出力する。
【００２６】
レジスタ回路４は、外部から受けた制御信号に基づいて、負荷９に供給すべき電流値を定電流回路８へ出力し、また、負荷９に供給すべき電流値に対応するマージン電圧を変換テーブル１０から得て、マージン電圧のデジタル値Ｄｍ（以下、マージン電圧値Ｄｍとも称する）を昇圧率設定部２へ出力する。なお、レジスタ回路４は、負荷９に供給すべき電流値を定電流回路８へ出力する構成に限らず、単に負荷９に流れる電流の測定値を外部から受けるか、または負荷９に流れる電流を直接測定し、この測定値に対応するマージン電圧を変換テーブル１０から得る構成とすることができる。
【００２７】
定電流回路８は、レジスタ回路４から受けた電流値に基づいて、負荷９に電流を供給する。
【００２８】
図２は、レジスタ回路の用いる変換テーブル１０の一例を示す図である。Ｉｏｕｔは負荷９に供給すべき電流を表わす。
【００２９】
同図を参照して、レジスタ回路４は、外部から受けた制御信号に基づいて、負荷９に供給すべき電流値Ｉｏｕｔ＝０〜５０ｍＡである場合には、マージン電圧値Ｄｍ＝０．２Ｖとする。同様に、レジスタ回路４は、Ｉｏｕｔ＝５０〜１００ｍＡである場合には、マージン電圧値Ｄｍ＝０．４Ｖとし、Ｉｏｕｔ＝１００〜１５０ｍＡである場合には、マージン電圧値Ｄｍ＝０．６Ｖとし、Ｉｏｕｔ＝１５０〜２００ｍＡである場合には、マージン電圧値Ｄｍ＝０．８Ｖとする。
【００３０】
ここで、マージン電圧値は、入力端子ｔ１から負荷９の入力までの経路における所定の区間の抵抗成分によって決まる値である。入力端子ｔ１から負荷９の入力までの経路において支配的となる抵抗成分としては、たとえばチャージポンプ回路１の抵抗成分があげられる。また、本発明の実施の形態に係る電源装置を半導体集積回路とした場合には、ワイヤーボンディングおよび外部基板の配線等による抵抗成分等が入力端子ｔ１から負荷９までの経路における抵抗成分に含まれる。マージン電圧値は、たとえば、負荷９に印加される電圧を実際に測定して理論値との差を算出することによって得ることができる。また、チャージポンプ回路１の抵抗値を机上または実験で求めて、チャージポンプ回路１の抵抗値のみに基づくマージン電圧値を変換テーブル１０に反映してもよい。このような変換テーブルを用いる構成により、デバイスの種類および製造ばらつき等による各回路の抵抗成分の変動に柔軟に対応することができる。
【００３１】
昇圧率設定部２は、入力電圧を表わすＡ／Ｄコンバータ８から受けたデジタル値Ｄｄｅｔと、目標電圧を表わす出力電圧設定部５から受けたデジタル値Ｄｓｅｔ（以下、目標電圧値Ｄｓｅｔとも称する）と、レジスタ回路４から受けたマージン電圧値Ｄｍとに基づいてチャージポンプ回路１の昇圧率ＸＣＰを設定する。
【００３２】
［動作］
次に、本発明の実施の形態に係る電源装置１００における昇圧率設定部２が昇圧率ＸＣＰを設定する際の動作について説明する。
【００３３】
図３は、本発明の実施の形態に係る電源装置１００の動作手順を定めたフローチャートである。
【００３４】
まず、レジスタ回路４は、負荷９に供給すべき電流値に対応するマージン電圧値Ｄｍを昇圧率設定部２へ出力する（Ｓ１）。
【００３５】
昇圧率設定部２は、入力電圧である電池電圧Ｖｂａｔをデジタル値Ｄｄｅｔとして取得し、目標電圧値Ｄｓｅｔを取得し、また、マージン電圧値Ｄｍを取得する（Ｓ２）。
【００３６】
次に、昇圧率設定部２は、電池電圧Ｖｂａｔからマージン電圧値Ｄｍを減算した値が目標電圧値Ｄｓｅｔ以上である場合には、昇圧率ＸＣＰを１倍に設定する（Ｓ３でＹＥＳおよびＳ６）。
【００３７】
また、昇圧率設定部２は、電池電圧Ｖｂａｔからマージン電圧値Ｄｍを減算した値が目標電圧値Ｄｓｅｔより小さい場合であって、電池電圧Ｖｂａｔの１．５倍からマージン電圧値Ｄｍを減算した値が目標電圧値Ｄｓｅｔ以上であるときには、昇圧率ＸＣＰを１．５倍に設定する（Ｓ３でＮＯ、Ｓ４でＹＥＳおよびＳ７）。
【００３８】
同様にして、昇圧率設定部２は、電池電圧Ｖｂａｔの２倍または２．５倍からマージン電圧値Ｄｍを減算した値と目標電圧値Ｄｓｅｔとを比較することにより、昇圧率を２倍または２．５倍に設定する（Ｓ５、Ｓ８およびＳ９）。
【００３９】
以下、具体例として、電池電圧Ｖｂａｔが３．６Ｖ、目標電圧値Ｄｓｅｔが７．０Ｖ、負荷９に供給すべき電流値Ｉｏｕｔ＝８０ｍＡであり、また、レジスタ回路４は図２に示す変換テーブルを用いる場合について説明する。
【００４０】
レジスタ回路４は、外部から制御信号を受けて、負荷に供給すべき電流値Ｉｏｕｔ＝８０ｍＡであると認識すると、変換テーブル１０を参照してマージン電圧値Ｄｍ＝０．４Ｖとし、昇圧率設定部２へ出力する。
【００４１】
そうすると、昇圧率設定部２は、３．６Ｖ×２−０．４Ｖ＜７．０Ｖが成立する（Ｓ５でＮＯ）ことから、昇圧率ＸＣＰが２．０倍では目標電圧を負荷９に供給することができないと判断し、昇圧率ＸＣＰを２．５倍に設定する（Ｓ９）。
【００４２】
ここで、昇圧率ＸＣＰが２．５倍に設定されると、負荷９に供給される電圧は３．６Ｖ×２．５−０．４Ｖ＝８．６Ｖとなり、目標電圧値Ｄｓｅｔ＝７．０Ｖより大きくなってしまう。しかしながら、前述のように電圧調整部２２が、Ｄ／Ａコンバータ６から受けたアナログ電圧Ｖｓｅｔが表わす目標電圧、および出力電圧Ｖｏｕｔの分圧値に基づいて、電池電圧Ｖｂａｔを降圧して調整し、電圧Ｖｘとしてチャージポンプ回路１へ出力するため、負荷９に供給する電圧を目標電圧値である７．０Ｖとすることができる。
【００４３】
［携帯情報端末］
図４は、本発明の実施の形態に係る電源装置を有する携帯情報端末の機能ブロック図である。
【００４４】
同図を参照して、携帯情報端末は、電源装置３１〜３２と、操作部１１と、発光部１２と、処理ブロック１３と、通信処理部１４と、ＬＣＤモニタ１５とを含む。また、発光部１２は、ＬＥＤ２１と、処理部２２とを含み、処理ブロック１３は、ＣＰＵ（Central  Processing  Unit）２３と、メモリ２４とを含む。
【００４５】
以下、携帯情報端末は携帯電話であると仮定して説明するが、携帯情報端末はＰＤＡ等であってもよい。
【００４６】
通信処理部１４は、通信に必要な処理を実行する。すなわち、通信処理部１４は、ＰＤＣ（Personal  Digital  Cellular  System）、簡易型携帯電話システム、ＣＤＭＡ（Code  Division  Multiple  Access）、ＩｒＤＡ（Infrared Data Association）方式等の移動通信システムにおける通信に必要な処理を実行する。
【００４７】
操作部１１は、ユーザが電話番号等を入力するためのボタンを含み、ユーザの操作を検出する。
【００４８】
発光部１２は、携帯電話が着信した場合に、ＬＥＤ２１をイルミネーションとして点滅させる。処理部２２は、ＬＥＤ２１を点滅させる命令を表わす制御信号をＬＥＤ２１へ出力する。また、処理部２２は、ＬＥＤ２１に供給すべき電圧値を表わす制御信号を電源装置３１へ出力する。
【００４９】
電源装置３１は、処理部２２から受けた制御信号が表わす電圧値に基づいてＬＥＤ２１へ電圧を出力する。
【００５０】
処理ブロック１３は、携帯電話の各ブロックを制御する。ＬＣＤモニタ１５は、通信を行っている相手の電話番号、電子メールの内容および画像等を表示する。ここで、処理ブロック１３は、ＬＣＤモニタ１５に画像等を表示するとともにＬＥＤ２１に供給すべき電圧値を表わす制御信号を電源装置３２へ出力する。そして、電源装置３１は、処理ブロック１３から受けた制御信号が表わす電圧値に基づいてＬＣＤモニタ１５に含まれるバックライト用のＬＥＤへ電圧を出力する。
【００５１】
ところで、特許文献１記載の電源装置では、昇圧率を適切に設定することができなかった。しかしながら、本発明の実施の形態に係る電源装置１００では、昇圧率設定部２が、電源装置１００の入力電圧および負荷９に供給すべき電圧に加え、負荷９に供給すべき電流に基づくマージン電圧に基づいて昇圧率ＸＣＰを設定する。したがって、本発明の実施の形態に係る電源装置１００では、昇圧率を適切に設定し、負荷９に安定して目標電圧を供給することができる。
【００５２】
また、本発明の実施の形態に係る電源装置１００では、電池電圧Ｖｂａｔを直接参照して昇圧率ＸＣＰを設定するため、電池電圧Ｖｂａｔが変動した場合においても適切な昇圧率を設定することができる。その結果、昇圧率を１．５倍に設定すればすむところを２倍に設定するといった問題が解消されるため、無駄な電力消費が生じることを防ぐことができる。
【００５３】
なお、本発明の実施の形態に係る発光制御回路では、レジスタ回路４が、外部から受けた制御信号に基づいて、負荷９に供給すべき電流値を定電流回路８へ出力し、また、負荷９に供給すべき電流値に対応するマージン電圧を変換テーブル１０から得る構成としたが、これに限定するものではない。発光制御回路がレジスタ回路４を備えず、昇圧率設定部２が、負荷９に流れる電流の測定値を外部から受けるか、または負荷９に流れる電流を直接測定し、この測定値に対応するマージン電圧を算出する構成とすることができる。
【００５４】
また、本発明の実施の形態に係る電源装置１００は、チャージポンプ回路１を備える構成としたが、これに限定するものではなく、昇圧率の変更が可能な昇圧回路であればチャージポンプ回路１の代わりとすることができる。
【００５５】
また、負荷９として１個のＬＥＤのみを示したが、本発明は、複数個のＬＥＤおよびモータ等の大電流を消費する負荷に対して特に有効となる。
【００５６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５７】
【図１】本発明の実施の形態に係る電源装置１００の構成を示す図である。
【図２】レジスタ回路の用いる変換テーブル１０の一例を示す図である。
【図３】本発明の実施の形態に係る電源装置１００の動作手順を定めたフローチャートである。
【図４】本発明の実施の形態に係る電源装置を有する携帯情報端末の機能ブロック図である。
【符号の説明】
【００５８】
３１〜３２，１００  電源装置、９  負荷、１  チャージポンプ回路、２  昇圧率設定部、４  レジスタ回路、５  出力電圧設定部、６  Ｄ／Ａコンバータ、７  演算増幅器、８  Ａ／Ｄコンバータ、９  負荷、１０  変換テーブル、１１  操作部、１２  発光部、１３  処理ブロック、１４  通信処理部、１５  ＬＣＤモニタ、２１  ＬＥＤ、２２  処理部、２３  ＣＰＵ、２４  メモリ、Ｒ１〜Ｒ４  抵抗、Ｍ１  ＭＯＳトランジスタ、ｔ１  入力端子、ｔ２  出力端子。
【図１】
0004761847.tif 000002
【図２】
0004761847.tif 000003
【図３】
0004761847.tif 000004
【図４】
0004761847.tif 000005